(57)【要約】【課題】  不用意に当たってしまった場合であっても落下しにくく、かつ着脱自在な係合構造、およびこれを備えた着脱部材または浴室を提供することを目的としている。【解決手段】  本発明にかかる掛合構造１００の代表的な構成は、大径の頭部１２２と小径の軸部１２４とを有し略水平方向に突出したフック１２０と、フック１２０の軸部１２４と掛合するガイド溝１４０とからなり、ガイド溝１４０は、一端にある開口部１４２と、他端にあって軸部が突き当たる突当部１５０と、突当部１５０と開口部１４２との間にある一つまたは複数の屈曲部１４６と、を有することを特徴とする。【選択図】  図１
2010121670.tif 000002
【特許請求の範囲】
【請求項１】
大径の頭部と小径の軸部とを有し略水平方向に突出したフックと、
前記フックの軸部と掛合するガイド溝とからなり、
前記ガイド溝は、一端にある開口部と、他端にあって前記軸部が突き当たる突当部と、前記突当部と前記開口部との間にある一つまたは複数の屈曲部と、を有することを特徴とする掛合構造。
【請求項２】
前記ガイド溝はさらに、前記突当部と前記屈曲部との間にあって前記軸部を上方または斜め上方に案内する落下部と、前記開口部と前記屈曲部との間にあって前記軸部を案内する案内部とを有することを特徴とする請求項１に記載の掛合構造。
【請求項３】
大径の頭部と小径の軸部とを有し壁面から突出したフックに着脱可能な着脱部材であって、
当該着脱部材の背面に配置され前記フックの軸部と掛合するガイド溝を備え、
前記ガイド溝は、一端にある開口部と、他端にあって前記軸部が突き当たる突当部と、前記突当部と前記開口部との間にある１つまたは複数の屈曲部と、を有することを特徴とする着脱部材。
【請求項４】
前記着脱部材は、浴室壁面から浴室内に突出するように配置され、上方を開放した棚状の収納部材であることを特徴とする請求項３に記載の着脱部材。
【請求項５】
前記着脱部材の背面に前記ガイド溝を略水平方向に２つ以上備えたことを特徴とする請求項３または請求項４に記載の着脱部材。
【請求項６】
壁面に水平方向と垂直方向にそれぞれ所定間隔ごとに複数設置され、大径の頭部と小径の軸部とを有するフックと、
前記フックの軸部に着脱可能に掛合される着脱部材とを備え、
前記着脱部材は、
当該着脱部材の背面に配置され前記フックの軸部と掛合するガイド溝を備え、
前記ガイド溝は、一端にある開口部と、他端にあって前記軸部が突き当たる突当部と、前記突当部と前記開口部との間にある１つまたは複数の屈曲部と、を有することを特徴とする浴室。
【請求項７】
前記フックは、
前記頭部を前記壁面から手前に引き出すことにより、該フックに前記着脱部材を吊り下げ可能となり、
前記引き出した頭部を前記壁面に向かって押し込むことにより、前記軸部を該頭部または該壁面内に収納可能であることを特徴とする請求項６に記載の浴室。
【発明の詳細な説明】
【技術分野】
【０００１】
本発明は、フックと係合する係合構造、およびこれを備えた着脱部材および浴室に関する。
【背景技術】
【０００２】
従来から、シャンプーやリンスなど浴室で用いられる物品を収納するために、浴室には備え付けの収納棚やラックが設けられている。かかる収納棚やラックに、浴室で用いられる物品を収納することにより、浴室内を整理整頓し、利便性を向上することができる。
【０００３】
しかし、上記のように収納棚等が備え付けであると、容積の限られた浴室内にかならず収納棚等が存在することになる。このため使用者が利用していればよいが、さして利用していない場合には却ってじゃまになってしまうおそれがある。また備え付けで取り外せないとすれば、湿気の多い浴室内のことであるから、壁面との接合部などの隅に汚れがたまるなどして美観を損ねるおそれがある。そのため、浴室内の収納棚等は、着脱可能であることが好ましい。
【０００４】
さらに浴室内の収納棚等は、その位置も変更できることが好ましい。例えば、収納棚やラックが浴室の壁面の上方に設置されていた場合、大人にとっては使い勝手がよいかもしれないが、大人と子供では身長が大きく異なるため、子供は収納棚やラックに手が届かない場合がある。また例えば、収納棚やラックが浴室の壁面の下方に設置されていた場合、風呂イス等に座って体や髪を洗う使用者にとっては使い勝手がよいが、立って体や髪を洗う使用者にとっては使い勝手が悪い。
【０００５】
特許文献１には、表面を隠蔽面とすると共に裏面側に収納部を形成した収納具と、浴室内に設けたフックとからなる浴室内の収納構造が開示されている。特許文献１によれば、浴室内において掃除具等の収納物を、浴室内に扉や蓋を設けることなく綺麗に収納できると共に、清掃やレイアウトの変更が簡単にできるとしている。
【０００６】
また例えば特許文献２には、少なくとも２種の異なる形状に形成され、浴室で使用する物を収容する複数の棚を、壁に係脱自在に取り付けた浴室が開示されている。特許文献２によれば、浴室の壁に取り付けられている棚を、簡単に係脱可能に取り付けることができ、異なる形状や色の棚の取付位置を自由に付け替えることができるとしている。
【特許文献１】特開２０００−３８８４５号公報
【特許文献３】特開２００４−２１５８０８号公報
【発明の開示】
【発明が解決しようとする課題】
【０００７】
上記従来の収納棚等において、着脱自在というとき、一般にはフックや金具などに引っかける構成をしている。すなわち着脱自在な収納棚等は、重力を利用して設置されている。例えば特許文献１に記載のフックは先端が上方に屈曲した板材であり、収納棚等はフックが挿入されるスリットを備えている。特許文献２に記載されたフックは下方に向かうに従ってその幅を徐々に狭くするような左右のテーパ面を備えた係合溝を備え、これに棚に設けられた垂直片を挿入して取り付けられる。
【０００８】
しかし、重力利用により引っかけられている収納棚等は、立ち上がった際に不用意に当たってしまった場合や、収納された物を取ろうとした手などが目測を誤って当たってしまった場合などに、持ち上がって掛止を外れてしまう場合がある。すると収納棚等が落下してひっくり返り、収納物が散乱して始末が悪いという問題がある。
【０００９】
これに対し、収納棚等をネジなどによって固定することも考えられる。しかし固定してしまうと着脱に手間を要するようになるため、ネジなどによって固定している場合は着脱自在とはいいがたい。
【００１０】
また、特許文献１および２に記載の技術であると、壁面への収納棚等の設置位置を、フック等が設置されている位置にしか変更することができない。故に、使用者は、壁面に設置されたフック等の中から、最も好ましい位置に設置されているものを選んで収納棚等を掛止することとなる。したがって、収納部材のある程度の位置変更は可能であるが、使用者が真に所望する位置に自在に変更できるわけではない。
【００１１】
そこで本発明は、不用意に当たってしまった場合であっても落下しにくく、かつ着脱自在な係合構造、およびこれを備えた着脱部材または浴室を提供することを目的としている。
【課題を解決するための手段】
【００１２】
上記課題を解決するために、本発明にかかる掛合構造の代表的な構成は、大径の頭部と小径の軸部とを有し略水平方向に突出したフックと、フックの軸部と掛合するガイド溝とからなり、ガイド溝は、一端にある開口部と、他端にあって軸部が突き当たる突当部と、突当部と開口部との間にある一つまたは複数の屈曲部と、を有することを特徴とする。
【００１３】
上記構成の掛合構造によれば、掛合を解除するためには、フックの軸部をガイド溝の突当部から開口部まで案内する必要があるが、屈曲部があるために移動方向に変更が生じる。したがって不用意に当たってしまった場合であっても落下しにくく、かつ着脱自在な掛合構造を提供することができる。
【００１４】
ガイド溝はさらに、突当部と屈曲部との間にあって軸部を上方または斜め上方に案内する落下部と、開口部と屈曲部との間にあって軸部を案内する案内部とを有していてもよい。すなわち、ガイド溝の最奥部である突当部の近傍は、重力を利用して軸部が突当部に当接するように、突当部から下方に向かってガイド溝が連続しているとよい。またガイド溝の開口端である開口部は、屈曲部からある程度の距離があるとよいため、案内部として経路を設けることが好ましい。なお、開口部は下方に開口していることが好ましいが、側方または上方に開口していてもよい。
【００１５】
本発明にかかる着脱部材の代表的な構成は、大径の頭部と小径の軸部とを有し壁面から突出したフックに着脱可能な着脱部材であって、当該着脱部材の背面に配置されフックの軸部と掛合するガイド溝を備え、ガイド溝は、一端にある開口部と、他端にあって軸部が突き当たる突当部と、突当部と開口部との間にある１つまたは複数の屈曲部と、を有することを特徴とする。
【００１６】
上記構成によれば、不用意に当たってしまった場合であっても落下しにくく、かつ着脱自在な着脱部材を提供することができる。
【００１７】
着脱部材は、浴室壁面から浴室内に突出するように配置され、上方を開放した棚状の収納部材であってもよい。このように浴室内に突出して配置される部材は不用意に当たってしまいやすいが、上記構成の掛合構造を有することにより、落下しにくく、かつ着脱自在な着脱部材を提供することができる。収納部材の例としては、受け皿状の収納部材、ワイヤーラック、石けん置きなどが挙げられる。また着脱部材の他の例としては、フック、タオル掛けなど、浴室壁面から浴室内に突出するように配置されるものであれば、その掛合構造に本発明を適用することが可能である。
【００１８】
さらに、着脱部材の背面にガイド溝を略水平方向に２つ以上備えていてもよい。ガイド溝を２つ以上備え、２つ以上のフックに同時に掛合させることにより、不用意に当たってしまった場合の落下をさらに確実に防止することができる。
【００１９】
本発明にかかる浴室の代表的な構成は、壁面に水平方向と垂直方向にそれぞれ所定間隔ごとに複数設置され、大径の頭部と小径の軸部とを有するフックと、フックの軸部に着脱可能に掛合される着脱部材とを備え、着脱部材は、当該着脱部材の背面に配置されフックの軸部と掛合するガイド溝を備え、ガイド溝は、一端にある開口部と、他端にあって軸部が突き当たる突当部と、突当部と開口部との間にある１つまたは複数の屈曲部と、を有することを特徴とする。
【００２０】
上記構成によれば、壁面に略碁盤目状にフックが設置されるため、着脱部材を任意の位置に掛合させることができる。そして、いずれの位置に掛合させた場合であっても、不用意に当たってしまった場合であっても落下を防止することができる。
【００２１】
フックは、頭部を壁面から手前に引き出すことにより、フックに着脱部材を吊り下げ可能となり、引き出した頭部を壁面に向かって押し込むことにより、軸部を頭部または壁面内に収納可能であってもよい。
【００２２】
上記構成によれば、フックの頭部を壁面から手前に引き出すという簡単な操作で、フックを使用することが可能となる。また、フックの頭部を壁面に向かって押し込むという簡単な操作で、フックの軸部を頭部または壁面内に収納できる。これにより、フックは壁面上に頭部の厚み分だけ若干突出した状態となり、フック内部はほぼ密閉された状態となる。したがって、フック内部への水等の浸入を防ぐことができ、フック内部でのカビ等細菌類の繁殖を防止し、衛生状態を良好に保つことが可能となる。
【発明の効果】
【００２３】
本発明によれば、不用意に当たってしまった場合であっても落下しにくく、かつ着脱自在な係合構造、およびこれを備えた着脱部材または浴室を提供することができる。
【発明を実施するための最良の形態】
【００２４】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２５】
図１は掛合構造を説明する図である。図１に示す掛合構造１００は、壁面１１０に設置されたフック１２０に着脱部材を取り付けるための構造である。フック１２０は、大径の頭部１２２と小径の軸部１２４を備えている。なお図１には着脱部材の全体像を図示していないが、例えば収納棚やラック、鏡、額縁その他の壁面に着脱可能に取り付けられる部材であれば、本実施形態における着脱部材となりうる。
【００２６】
掛合構造１００は、背面板１３０に設けられた切欠であるガイド溝１４０をフック１２０の軸部１２４に嵌合させることによって掛止される。ガイド溝１４０の幅は、軸部１２４の径よりも広く、頭部１２２の径よりも狭ければよい。
【００２７】
ガイド溝１４０は、一端に下方に開口する開口部１４２を有し、他端に軸部１２４が突き当たる突当部１５０を有している。突当部１５０と開口部１４２との間には、１つの屈曲部１４６を有している。
【００２８】
突当部１５０と屈曲部１４６の間の経路である落下部１４８は、屈曲部１４６から突当部１５０に向かって上方または斜め上方に軸部１２４を案内する。すなわち軸部１２４が落下部にあるとき、ガイド溝１４０を備えた部材は重力によって落下し、軸部１２４が突当部１５０に自然に突き当たる。換言すれば、ガイド溝１４０の最奥部である突当部１５０の近傍は、重力を利用して軸部１２４が突当部１５０に当接するように、突当部１５０から下方に向かってガイド溝１４０が連続している。
【００２９】
開口部１４２と屈曲部１４６との間の経路である案内部１４４は、開口部１４２から屈曲部１４６まで軸部１２４を案内する。すなわち、開口部１４２から屈曲部１４６までは、ある程度の距離を有している。これにより、背面板１３０が跳ねて屈曲部１４６に軸部１２４が到達した場合であっても、あやまって軸部１２４が開口部１４２から外れてしまうことを防止することができる。なお本実施形態において開口部１４２は下方に開口しているが、案内部１４４を延長させることにより、背面板１３０の側方または上方に開口部１４２を配置することができる。
【００３０】
上記説明のごとく、ガイド溝１４０は全体として屈曲した形状を有し、軸部１２４はガイド溝１４０を移動する際に屈曲した軌跡をたどる。したがって、掛合を解除するためには、フック１２０の軸部１２４をガイド溝１４０の突当部１５０から開口部１４２まで案内する必要があるが、屈曲部１４６があるために移動方向に変更が生じる。ここで不用意に当たった場合などには瞬間的に一方向の力が加わることから、屈曲部１４６において極端に減速するため、突当部１５０から開口部１４２まで移動することが困難である。したがって不用意に当たってしまった場合であっても落下しにくく、かつ着脱自在な掛合構造１００とすることができる。
【００３１】
図２は掛合構造１００の他の構造を説明する図である。図２（ａ）に示すガイド溝１４０ａは、２つの屈曲部１４６ａ、１４６ｂを有し、屈曲部間の経路として中間部１５２を有している。中間部１５２は、背面板１３０が重力によって落下しうるように、突当部１５０に向かって上方に傾いていることが好ましい。このように２つの屈曲部１４６ａ、１４６ｂを有することにより、不用意な力によって軸部１２４がガイド溝１４０ａから抜け落ちる確率をさらに低下させることができる。
【００３２】
図２（ｂ）に示すガイド溝１４０ｂは、屈曲部１４６の曲率半径が大きく、開口部１４２から突当部１５０に至るまでが全体として一つの湾曲した曲線形状となっている例である。このように、必ずしも直線的な開口部１４２や落下部１４８を備えていなくても、ガイド溝１４０の軌跡のベクトル方向が変化する形状であれば、不用意に当たってしまった場合であっても軸部１２４が抜け落ちる確率を低下させることができる。
【００３３】
図３は着脱部材を説明する図であって、着脱部材の例として収納部材２００を示している。図３（ａ）に示すように、収納部材２００は上方を開放した棚状（受け皿状、もしくはトレイ状）の構造であって、浴室壁面から浴室内に突出するように配置される。収納部材２００の１つの側面（背面）には背面板１３０があり、背面板１３０に上記説明したガイド溝１４０が形成されている。
【００３４】
このように浴室内に突出するように配置される収納部材２００は、使用者が浴室を利用する際に不用意に当たってしまいやすく、その際に持ち上げる方向への力がかかる場合もありがちである。しかし、上記説明したガイド溝１４０によって壁面２０２のフック１２０に係合されていることにより、当たったことによる瞬間的な力では係合が外れにくく、落下してしまったりひっくり返してしまったりする確率を飛躍的に低減させることができる。しかも、意図的に収納部材２００を持ち上げてフック１２０の軸部１２４をガイド溝１４０に倣わせることにより、例えばロックやネジを外したり引っ掛かったりすることなく円滑に取り外すことができる。すなわち、落下しにくく、かつ着脱自在な着脱部材を提供することができる。
【００３５】
また図３（ｂ）に示すように、収納部材２００の背面には背面板１３０が設けられている。背面板１３０は、収納部材２００の容器を構成する壁面２０２とは離間して別途立設されている。これにより、図３（ｃ）に示すように使用者から見ればフック１２０の頭部１２２が容器内に露出することがなく、収納部材２００の美観を向上させることができる。
【００３６】
また収納部材２００においては、背面板１３０にガイド溝１４０を略水平方向に２つ備えている。図４は収納部材２００の一端に持ち上げるような力が働いた場合を説明する図である。図４に示すように、例えば収納部材２００の右側が持ち上げられたとすると、右側のガイド溝１４０においてフック１２０がガイド溝１４０に案内されて下方へと移動する。このとき２つのフック１２０の間隔と、傾いた収納部材２００の２つのガイド溝１４０の水平距離が変化するために、収納部材２００はそれ以上移動および回転することが規制される。換言すれば、収納部材２００は水平を保ちながら持ち上げなければ、フック１２０から取り外すことができない。
【００３７】
したがって、軸部１２４の径とガイド溝１４０の幅のアライメントを多少多めに取ったとしても、収納部材２００の脱落を防止することができる。このようにガイド溝１４０を２つ備え、２つのフック１２０に同時に掛合させることにより、不用意に当たってしまった場合の落下をさらに確実に防止することができる。
【００３８】
図５は着脱部材の他の構成を説明する図である。図５（ａ）に示す収納部材２１０は、図５（ｂ）に示すように壁面２１２にガイド溝１４０を有し（壁面２１２が背面板に相当する）、底面２１４にフック１２０の頭部１２２を挿通しうる頭部通過穴２１４ａを備えている。なお壁面２１２は、底面２１４に対してほぼ直角をなしている。
【００３９】
図５に示すように構成すると、フック１２０の頭部１２２は容器内に露出することとなる。しかし、構造を簡略化し、かつガイド溝から排水することができる利点を有している。
【００４０】
図６は着脱部材のさらに他の構成を説明する図である。図６に示す着脱部材としてのワイヤーラック２２０は、収納部材２００と同様に上方を開放した棚状（受け皿状）の構造を備えているが、線材（ワイヤー）を組み合わせた格子状の壁面および底面から構成されている。そしてワイヤーラック２２０の１つの側面（背面）には、線材を屈曲して構成したガイド溝１４０が形成されている。
【００４１】
図６に示すガイド溝１４０も、上記実施形態にて説明したように、開口部と、突当部と、屈曲部とを備えている（図１参照）。すなわち、必ずしもガイド溝１４０は板状部材に切欠を設けて構成するばかりではなく、線材によって所定の形状を有する溝が形成されていてもよい。
【００４２】
また上記実施形態では受け皿状の収納部材（トレイ）やワイヤーラックを例に用いて説明したが、石けん置きなどにも適用することができる。また着脱部材の他の例として、フック、タオル掛けなど、浴室壁面から浴室内に突出するように配置されるものであれば、その掛合構造に本発明を適用することが可能である。
【００４３】
図７は浴室の構成を説明する図である。なお、本実施形態においては、近年家庭に最も普及しているユニットバスを浴室３００として例示するがこれに限定するものではない。
【００４４】
図７に示すように、ユニットバスである浴室３００は、壁面で区画された空間であり、壁面３１２、３１４、浴槽３２０により構成される。なお、壁面３１２、３１４以外の壁面、および浴室３００外に設けられた脱衣所と通じるドアは、理解を容易にするため図示を省略する。
【００４５】
壁面３１２、３１４には、複数のフック１７０が設けられている。フック１７０は、後述するように大径の頭部１７２と小径の軸部１７６を有し、浴室３００内の壁面に所定間隔ごとに複数設置される。
【００４６】
フック１７０は、壁面３１２、３１４の水平方向に配列して複数設置されるとよく、さらには水平方向および垂直方向に複数設置するとよい。これにより、フック１７０は壁面に略碁盤目状に設置されることとなるため、壁面の水平方向且つ垂直方向の所望の位置に部材を吊り下げて設置することが可能となり、利便性が格段に向上する。
【００４７】
そして、いずれの位置に掛合させた場合であっても、収納部材２００に使用者が不用意に当たってしまった場合であっても、収納部材２００のガイド溝１４０が上記構成の掛合構造１００を有していることから、不測の落下を防止することができる。
【００４８】
以下、フック１７０の詳細について説明する。図８はフック１７０の詳細を示す図であって、図８（ａ）は分解図、図８（ｂ）は斜視図、図８（ｃ）は不使用時の側面図、図８（ｄ）は使用時の側面図である。
【００４９】
図８（ａ）に示すように、フック１７０は、頭部１７２と、螺子１７４と、軸部１７６と、リング１７８と、ワッシャ１８０との、５つの部材から構成される。フック１７０を壁面に設置する際には、まず軸部１７６とリング１７８とワッシャ１８０を嵌合する。そして、軸部１７６の穴に螺子１７４を装嵌し、ワッシャ１８０を壁面に当接して螺子止めをすることにより、軸部１７６とリング１７８とワッシャ１８０が壁面に螺設される。螺設後に、頭部１７２をリング１７８に嵌合することにより、図８（ｂ）に示す状態となり、フック１７０が壁面に設置される。
【００５０】
フック１７０の壁面への設置後、かかるフック１７０は、使用されない場合には図８（ｃ）に示す状態となる。図８（ｃ）に示すように、フック１７０は、軸部１７６およびリング１７８が頭部１７２に収納され、頭部１７２とワッシャ１８０が接した状態となっている。これにより、フック１７０内部はほぼ密閉された状態となるため、フック１７０内部への水等の浸入を防ぐことができる。故に、フック１７０内部でのカビ等細菌類の繁殖を防止し、衛生状態を良好に保つことが可能となる。
【００５１】
また、図８（ｃ）のように不使用時のフック１７０（軸部１７６収納時）は、壁面上に頭部の厚み分だけ突出した状態となる（厳密には、ワッシャ１８０の厚みも含まれる）。故に、フック１７０により壁面上には微小な凸部が形成されるが、凹部が形成されることはない。したがって、フック１７０が壁面の清掃を妨げることがなく、且つ浴室の美観を損ねることがない。
【００５２】
更に、図８（ｃ）に示すようにフックの頭部１７２が切欠１７２ａを有することで、切欠１７２ａの部分に指を引っ掛け、頭部１７２を白抜き矢印方向に、すなわち壁面から手前に引き出すことができる。このようにして頭部１７２を引き出すと、フック１７０は図８（ｄ）に示す状態となり、軸部１７６が露出する。これにより、フック１７０に部材を吊り下げ可能となる。
【００５３】
そして、例えば部材を吊り下げる場所を変更する等、引き出したフック１７０を使用しなくなる場合には、引き出した頭部１７２を壁面に向かって押し込むことにより、軸部１７６は頭部１７２に収納され、図８（ｃ）に示す状態に戻る。なお、本実施形態においては、軸部１７６は頭部１７２に収納されているが、これに限定するものではなく、軸部１７６を壁面内に収納するよう構成してもよい。
【００５４】
したがって、上記のようなフック１７０によれば、フック１７０の頭部１７２を壁面から手前に引き出すという操作でフック１７０を使用することが可能となり、フック１７０の頭部１７２を壁面に向かって押し込むという簡単な操作でフック１７０の軸部１７６を頭部１７２に収納可能となる。したがって、いずれにおいても簡単な操作でフック１７０の状態を変更することができる。
【００５５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５６】
本発明は、本発明は、フックと係合する係合構造、およびこれを備えた着脱部材および浴室として利用することができる。
【図面の簡単な説明】
【００５７】
【図１】掛合構造を説明する図である。
【図２】掛合構造の他の構造を説明する図である。
【図３】着脱部材を説明する図である。
【図４】収納部材の一端に持ち上げるような力が働いた場合を説明する図である。
【図５】着脱部材の他の構成を説明する図である。
【図６】着脱部材のさらに他の構成を説明する図である。
【図７】浴室の構成を説明する図である。
【図８】フックの詳細を示す図である。
【符号の説明】
【００５８】
１００…掛合構造、１１０…壁面、１２０…フック、１２２…頭部、１２４…軸部、１３０…背面板、１４０…ガイド溝、１４０ａ…ガイド溝、１４０ｂ…ガイド溝、１４２…開口部、１４４…案内部、１４６…屈曲部、１４８…落下部、１５０…突当部、１５２…中間部、１７０…フック、１７２…頭部、１７２ａ…切欠、１７４…螺子、１７６…軸部、１７８…リング、１８０…ワッシャ、２００…収納部材、２０２…壁面、２１０…収納部材、２１２…壁面、２１４…底面、２１４ａ…頭部通過穴、３００…浴室、３１２…壁面、３１４…壁面、３２０…浴槽
【図１】
2010121670.tif 000003
【図２】
2010121670.tif 000004
【図３】
2010121670.tif 000005
【図４】
2010121670.tif 000006
【図５】
2010121670.tif 000007
【図６】
2010121670.tif 000008
【図７】
2010121670.tif 000009
【図８】
2010121670.tif 000010